(57)【要約】【課題】操作が容易で確実な操作が可能なリモコンホルダー及びこれを用いたリモコン装置を提供することを目的とする。【解決手段】上面開口で略箱状の収納部２３の前面に、複数の押釦１７を前面に設けたリモコン送信機１１を収納部２３に収納した状態で、押釦１７を押圧操作する押圧体２４Ａ〜２４Ｃを設けてリモコンホルダーを構成することによって、リモコンホルダー１２の前面に使用頻度の高い押圧体２４Ａ〜２４Ｃを大きな外形の釦として設けることができ、押圧体２４Ａ〜２４Ｃを介して対応するリモコン送信機１１の押釦１７を押圧操作して電子機器を操作できるため、押圧体の選択や押圧操作が行い易く、操作が容易で確実な操作が可能なリモコン装置を実現することができる。【選択図】図１
2014017756.tif 000002
【特許請求の範囲】
【請求項１】
複数の押釦が前面に配置されたリモコン送信機を収納する上面開口で略箱状の収納部を設け、この収納部の前面に前記リモコン送信機の前記押釦を押圧する押圧体を設けたリモコンホルダー。
【請求項２】
請求項１に記載のリモコンホルダーにリモコン送信機を収納したリモコン装置。
【請求項３】
リモコン送信機とリモコンホルダーの間に、前記リモコン送信機が前記リモコンホルダーに収納されたことを検出する検出手段を設けた請求項２に記載のリモコン装置。
【発明の詳細な説明】
【技術分野】
【０００１】
本発明は、主に照明機器やエアコンなどの各種電子機器の遠隔操作に用いられるリモコン送信機を収納するリモコンホルダー及びこれを用いたリモコン装置に関するものである。
【背景技術】
【０００２】
近年、室内の各種照明機器やエアコン等の各種電子機器の操作を、室内の壁や柱に固定又はテーブル上に置いたリモコンホルダーにリモコン送信機を収納して遠隔操作することが増えており、これらのリモコン装置において、操作が容易で確実なものが求められている。
【０００３】
このような従来のリモコン装置について、図７〜図９を用いて説明する。
【０００４】
図７は従来のリモコン装置の平面図であり、同図において、１はリモコン送信機、２はリモコン送信機１が収納される絶縁樹脂製のリモコンホルダーである。
【０００５】
そして、図８のリモコン送信機の平面図に示すように、リモコン送信機１には略箱型の絶縁樹脂製の前後部からなるケース３の前面の下部に複数の押釦４が突出すると共に、上部に液晶ディスプレイ等の表示部５や押釦６が形成されている。
【０００６】
また、ケース３内には、押釦４や押釦６の押圧操作によって電気的接離を行なう複数のスイッチ接点（図示せず）や、マイコンや発光ダイオード等の電子部品によって制御部（図示せず）等が形成され、押釦４や押釦６の押圧操作に応じて、上面の送信部７から所定のリモコン信号が送信されるようにして、リモコン送信機１が構成されている。
【０００７】
さらに、図９のリモコンホルダーの平面図に示すように、リモコンホルダー２は前面及び上面が開口で、左右側端の上下方向に延出した側壁２Ａには内方へ突出した係止部２Ｂが各々設けられている。
【０００８】
そして、このリモコンホルダー２が室内の壁や柱等にネジ等によって固定されると共に、リモコンホルダー２の上方からリモコン送信機１が挿入され、リモコン送信機１が係止部２Ｂに係止されると共にリモコンホルダー２に収納されてリモコン装置が構成されている。
【０００９】
以上の構成において、図７に示すように、リモコンホルダー２に収納されたリモコン送信機１を操作する際には、複数の押釦４の内、例えば「全灯」表示された押釦４を押圧すると下方のスイッチ接点の電気的接離に応じて、所定の赤外線のリモコン信号が送信部７から照明機器（図示せず）に送信されて、照明機器が消灯状態から全灯状態となる。
【００１０】
また、「調光」表示された押釦４を繰り返し押圧すると、同様に照明機器が「調光」表示された押釦４の押圧に応じて、照光状態が順次暗くなり、あるいは、「消灯」表示された押釦４を各々押圧することによって消灯するなど、押圧する押釦４に応じて照明機器の所望の操作が行なわれるように構成されているものであった。
【００１１】
なお、この出願の発明に関連する先行技術文献としては、例えば、特許文献１が知られている。
【先行技術文献】
【特許文献】
【００１２】
【特許文献１】特開２００６−３５２７３０号公報
【発明の概要】
【発明が解決しようとする課題】
【００１３】
従来のリモコン装置においては、リモコン送信機１をリモコンホルダー２に収納した状態で、リモコン送信機１を操作する際に、押釦４は比較的小さく操作機能に応じて多数配置されているため、所望の押釦４を探し選択して押圧操作する上で、操作が煩雑で、誤操作が生じ易いという課題があった。
【００１４】
本発明は、このような従来の課題を解決するものであり、操作が容易で確実な操作が可能なリモコンホルダー及びこれを用いたリモコン装置を提供することを目的とする。
【課題を解決するための手段】
【００１５】
上記目的を達成するために本発明は、複数の押釦が前面に配置されたリモコン送信機を収納する上面開口で略箱状の収納部を設け、この収納部の前面にリモコン送信機の押釦を押圧する押圧体を設けてリモコンホルダーを構成する。
【発明の効果】
【００１６】
本発明によれば、複数の押釦が前面に配置されたリモコン送信機を収納する上面開口で略箱状の収納部を設け、この収納部の前面にリモコン送信機の押釦を押圧する押圧体を設けてリモコンホルダーを構成することによって、例えば、リモコンホルダーの前面に操作頻度の高い機能用の押圧体を大きな外形の釦として数箇所設けることで、リモコン送信機をリモコンホルダーに収納した状態で、リモコンホルダー前面の押圧体を介してリモコン送信機の押釦を押圧操作して対象機器を操作できるため、押圧体の選択や押圧操作が行い易く、操作が容易で確実な操作が可能なリモコン装置を得ることができるという作用を有するものである。
【図面の簡単な説明】
【００１７】
【図１】本発明の一実施の形態によるリモコン装置の断面図
【図２】同リモコン装置の平面図
【図３】同リモコン送信機の断面図
【図４】同リモコン送信機の平面図
【図５】同リモコンホルダーの断面図
【図６】同リモコンホルダーの平面図
【図７】従来のリモコン装置の平面図
【図８】同リモコン送信機の平面図
【図９】同リモコンホルダーの平面図
【発明を実施するための形態】
【００１８】
以下、本発明の実施の形態について、図１〜図６を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるリモコン装置の断面図、図２は同平面図、図３は同リモコン送信機の断面図、図４は同平面図であり、同図において、１１はリモコン送信機、１２はリモコン送信機１１が収納される合成樹脂製のリモコンホルダーである。
【００２１】
そして、１３は前ケース１３Ａ及び後ケース１３Ｂからなる略箱型の絶縁樹脂製のケースで、前ケース１３Ａの前面上部には液晶ディスプレイ等の表示部１４が配置されている。
【００２２】
また、１５はゴムやエラストマー等の弾性材料製の操作体で、操作体１５には下方の略ドーム状の薄肉部によって連結形成された押釦１６が前ケース１３Ａ上部に設けられると共に、複数の押釦１７が前ケース１３Ａ下部の操作面１３Ｃに縦横に配列されて、押釦１６、１７が前ケース１３Ａ前面の開口孔から各々押圧操作可能に突出している。
【００２３】
なお、前ケース１３Ａの操作面１３Ｃは表示部１４や押釦１６が配置された上部に対し、所定の段差で後方に窪むと共に横幅もやや小さい幅となっている。
【００２４】
そして、１８は紙フェノール樹脂やガラス入りエポキシ樹脂等の配線基板で、両面に銅箔等によって複数の配線パターン（図示せず）が形成され、この前面に操作体１５が載置されると共に、配線基板１８前面には複数の固定接点１９Ａが設けられ、これらの固定接点１９Ａが各押釦１６、１７底面のカーボン等の可動接点１９Ｂと所定の間隔を空けて対向して複数のスイッチ接点１９が形成されている。
【００２５】
また、配線基板１８後面の下端部には上下動可能に操作部２０Ａが下方向に突出した検出部としての検出スイッチ２０が実装されている。
【００２６】
さらに、配線基板１８の両面には、発光ダイオード等のリモコン信号を送信する送信部２１や、マイコン等の制御部２２が形成されると共に、配線パターンを介して表示部１４、複数のスイッチ接点１９、検出スイッチ２０、送信部２１等が制御部２２に接続されてリモコン送信機１１が構成されている。
【００２７】
そして、図５のリモコンホルダーの断面図、図６の同平面図に示すように、２３は上面開口で略箱型のポリスチレン（以降、ＰＳと記載する）やアクリロニトリルブタジエンスチレン共重合体（以降、ＡＢＳと記載する）等の合成樹脂製の収納部である。
【００２８】
また、収納部２３の前面の開口孔からＰＳやＡＢＳなどの合成樹脂製の押圧体２４Ａや２４Ｂ、２４Ｃが突出すると共に、前面の内側には支持板２５が固定され、押圧体２４Ａや２４Ｂ、２４Ｃの後方に突出形成した押圧部２４Ｄが支持板２５の通孔２５Ａを貫通して、押圧体２４Ａ〜２４Ｃが前後方向に移動可能に収納部２３に装着されている。
【００２９】
なお、図１、図２に示すように、リモコン送信機１１がリモコンホルダー１２に収納されたリモコン装置の状態では、押圧体２４Ａは後部の押圧部２４Ｄがリモコン送信機１１の「調光」表示された押釦１７に対向して配置され、押圧体２４Ａの外形は略長方形で押釦１７の外形より数倍以上大きな形状となっている。
【００３０】
また、同様に押圧体２４Ｂ、２４Ｃは後部の押圧部２４Ｄがリモコン送信機１１の「時刻設定」表示や「暖かい色」表示された押釦１７に各々対向して配置されると共に、押圧体２４Ｂ、２４Ｃの外形は略楕円形で押釦１７よりやや大きい形状となっている。
【００３１】
そして、押圧体２４Ａ〜２４Ｃは、例えば「調光」や「消灯」、「豆球」等の通常頻繁に使用する機能の操作用として、収納部２３前面に視認し易く操作し易い配置で設けられている。
【００３２】
また、収納部２３の底面から上方へ突出した被検出部としての突出部２６が設けられてリモコンホルダー１２が構成されている。
【００３３】
そして、リモコンホルダー１２は室内の壁や柱等にネジ等によって後面を固定され、収納部２３内にリモコン送信機１１が上面開口から挿入されて収納されリモコン装置が構成されている。
【００３４】
また、リモコン送信機１１をリモコンホルダー１２に収納したときには、リモコン送信機１１の下端面の開口部１３Ｄからリモコンホルダー１２の突出部２６が挿通し、内部の検出スイッチ２０の操作部２０Ａが上方へ押圧されて検出スイッチ２０の電気的接離が行なわれるようにして、リモコン送信機１１の検出スイッチ２０とリモコンホルダー１２の突出部２６によって検出手段が形成されると共に、リモコン送信機１１がリモコンホルダー１２内に収納された状態であることを制御部２２が検出する。
【００３５】
なお、リモコン送信機１１がリモコンホルダー１２に収納されたリモコン装置では、図１や図２に示すように、リモコン送信機１１の前ケース１３Ａの操作面１３Ｃを所定の段差で後方に窪ませていることや横幅もやや小さい幅とすることによって、表示部１４が配置された上部と押圧体２４Ａ〜２４Ｃが配置された収納部２３の前面や側面が略同一面となるため、リモコン装置としてコンパクトで外観も良好なものにすることができる。
【００３６】
以上の構成において、例えばリモコンホルダー１２の「調光」表示された押圧体２４Ａを押圧操作すると、押圧体２４Ａが後方へ移動し、押圧部２４Ｄが対向するリモコン送信機１１の押釦１７を押圧すると共に対応するスイッチ接点１９の電気的接離が行なわれる。
【００３７】
そして、この電気的接離に応じて制御部２２が送信部２１から赤外線の所定のリモコン信号を照明機器に送信して、例えば、照明が消灯状態から全灯状態になり、さらに、押圧体２４Ａを繰り返し押圧操作すると、押圧に応じて照明が順次暗くなるなどの調光が行なわれる。
【００３８】
また、リモコンホルダー１２の「消灯」表示あるいは「豆球」表示された押圧体２４Ｂや２４Ｃを押圧操作すると、同様に対向するリモコン送信機１１の押釦１７を介して対応するスイッチ接点１９の電気的接離が行なわれ、これに応じて制御部２２が送信部２１からリモコン信号を照明機器に送信して、照明が消灯したり、豆球が点灯する。
【００３９】
さらに、リモコンホルダー１２からリモコン送信機１１を取り出すと、検出スイッチ２０の操作部２０Ａから突出部２６が離れ、検出スイッチ２０がＯＦＦとなって、リモコン送信機１１がリモコンホルダー１２から取り出されたことを制御部２２が検出する。
【００４０】
そして、図４に示すように、リモコン送信機１１のみの状態で、複数の比較的小さい形状の押釦１７の内、例えば「調光」表示された押釦１７を直接押圧操作すると、これに応じて後方のスイッチ接点１９の電気的接離が行なわれると共に、所定のリモコン信号が照明機器に送信され、照明が調光される。
【００４１】
また、リモコン送信機１１の「時刻設定」表示された押釦１７や「暖かい色」表示された押釦１７を各々直接押圧操作すると、リモコン装置で押圧体２４Ｂ、２４Ｃを介して押圧操作した場合とは異なるリモコン信号を照明機器へ送信して、例えば、時刻の設定や照明の色を暖色に切換えることが遠隔操作によって行なわれる。
【００４２】
つまり、リモコン送信機１１をリモコンホルダー１２に収納した状態で、リモコンホルダー１２前面に比較的使用頻度の高い機能の操作用の押圧体２４Ａ、２４Ｂ、２４Ｃを設けて、押圧体２４Ａ〜２４Ｃを介して対応するリモコン送信機１１の押釦１７の押圧操作を行なうことによって、リモコン送信機１１の比較的形状が小さく多数配置された押釦１７を直接操作する場合に比べ、操作したい押圧体２４Ａ〜２４Ｃが容易に選択できると共に押圧操作し易く、確実な操作が可能なように構成されている。
【００４３】
また、制御部２２が検出スイッチ２０や突出部２６などの検出手段によって、リモコン送信機１１がリモコンホルダー１２に収納された状態か、取り出された状態かを検出し、リモコン装置としてリモコンホルダー１２の押圧体２４Ａ〜２４Ｃを押圧操作した場合と、リモコン送信機１１の各押釦１７を直接押圧操作した場合とでは、異なるリモコン信号を送信することによって、リモコンホルダー１２の押圧体の配置や形状、あるいはリモコン送信機１１の複数の押釦１７の配置や形状の自由度が高いため、操作し易く多様な操作が可能なものとなっている。
【００４４】
このように本実施の形態によれば、上面開口で略箱状の収納部２３の前面に、複数の押釦１７を前面に設けたリモコン送信機１１を収納部２３に収納した状態で、押釦１７を押圧操作する押圧体２４Ａ〜２４Ｃを設けてリモコンホルダーを構成することによって、リモコンホルダー１２の前面に使用頻度の高い押圧体２４Ａ〜２４Ｃを大きな外形の釦として設けることができ、押圧体２４Ａ〜２４Ｃを介して対応するリモコン送信機１１の押釦１７を押圧操作して電子機器を操作できるため、押圧体の選択や押圧操作が行い易く、操作が容易で確実な操作が可能なリモコン装置を実現することができる。
【００４５】
また、リモコン送信機１１に検出部としての検出スイッチ２０を、リモコンホルダー１２に被検出物としての突出部２６を各々設けて、検出スイッチ２０と突出部２６により検出手段を形成し、リモコン送信機１１をリモコンホルダー１２に収納したことを検出手段によって検出することによって、制御部２２がリモコン送信機１１の押釦１７の押圧操作によるリモコン信号を収納状態と取り出し状態で異なる信号に切換えることができ、リモコン送信機の押釦の配置や形状及びリモコンホルダーの押圧体の配置や形状を、より操作し易く多様な操作が可能なものにすることができる。
【００４６】
なお、検出手段として、リモコン送信機１１に検出部である検出スイッチ２０を設け、リモコンホルダー１２に被検出部である突出部２６を設けたものとして説明したが、リモコン送信機に磁気センサ又は光センサを設けて、リモコンホルダーに磁石又は遮光部を設けるなど、リモコン送信機の脱着を検出可能な様々な検出手段を用いても良い。
【００４７】
なお、以上の説明では、リモコンホルダー１２を室内の壁や柱にネジなどにより固定するものとして説明したが、例えばリモコンホルダーの背面に下方に延出する支持部を設けて、テーブルなどの平坦面に置いて使用する卓上型のリモコンホルダーとしても本発明の実施は可能である。
【００４８】
さらに、以上の説明では、リモコン送信機を発光ダイオードによる赤外線信号のリモコン信号で送信するものとして説明したが、アンテナ等を設けて電波信号のリモコン信号で送信するものとしても良い。
【産業上の利用可能性】
【００４９】
本発明のリモコンホルダー及びこれを用いたリモコン装置は、操作が容易で、確実な操作が可能なものが得られ、主に各種電子機器の操作用として有用である。
【符号の説明】
【００５０】
１１  リモコン送信機
１２  リモコンホルダー
１３  ケース
１３Ａ  前ケース
１３Ｂ  後ケース
１３Ｃ  操作面
１３Ｄ  開口部
１４  表示部
１５  操作体
１６、１７  押釦
１８  配線基板
１９  スイッチ接点
１９Ａ  固定接点
１９Ｂ  可動接点
２０  検出スイッチ
２０Ａ  操作部
２１  送信部
２２  制御部
２３  収納部
２４Ａ、２４Ｂ、２４Ｃ  押圧体
２４Ｄ  押圧部
２５  支持板
２５Ａ  通孔
２６  突出部
【図１】
2014017756.tif 000003
【図２】
2014017756.tif 000004
【図３】
2014017756.tif 000005
【図４】
2014017756.tif 000006
【図５】
2014017756.tif 000007
【図６】
2014017756.tif 000008
【図７】
2014017756.tif 000009
【図８】
2014017756.tif 000010
【図９】
2014017756.tif 000011